(57)【要約】【課題】  非動作時間中に、録画した番組や入力された映像コンテンツの消去もしくは複製または移動できる映像記録装置を提供する。【解決手段】  この発明の映像記録装置１は、番組が記録される大容量の記録装置１２、記録装置に記録された番組をデコードするデコーダ２３、記録装置に記録すべき番組をエンコードするエンコーダ２２、記録装置に記録された番組のうち、任意の番組を削除または転送するための情報を保持するタスク記憶部６４、およびデコーダおよびエンコーダの少なくとも一方が非動作状態である時に、タスク記憶部に保持されている任意の番組を削除または転送するための情報に基づいて、記録装置に記録されている番組を削除または転送する主制御部５０を有する。【選択図】  図１
2007306521.tif 000002
【特許請求の範囲】
【請求項１】
番組が記録される主記録装置と、
前記主記録装置に記録された前記番組をデコードするデコード装置と、
前記主記録装置に記録すべき番組をエンコードするエンコード装置と、
前記主記録装置に記録された前記番組のうち、任意の番組を削除または転送するための情報を保持する副記録装置と、
前記デコード装置および前記エンコード装置の少なくとも一方が非動作状態である時、前記副記録装置に保持されている前記任意の番組を削除または転送するための前記情報に基づいて、前記主記録装置に記録されている前記番組を削除または転送する記録制御装置と、
を有することを特徴とする映像記録装置。
【請求項２】
前記記録制御装置は、前記デコード装置および前記エンコード装置の少なくとも一方が非動作状態であることが継続される時間と、前記主記録装置に記録されている前記番組の少なくとも１つを削除または転送するために必要な時間とを比較し、前記番組の少なくとも１つを削除または転送するために必要な時間が前記デコード装置および前記エンコード装置の少なくとも一方が非動作状態であることが継続される時間よりも少ない場合に、前記主記録装置に記録されている前記番組の少なくとも１つを削除または転送することを特徴とする請求項１記載の映像記録装置。
【請求項３】
前記デコード装置および前記エンコード装置の少なくとも一方が非動作状態であることが継続される時間は、主電源がオフされた時点から前記デコード装置および前記エンコード装置の少なくとも一方が動作されることが前記副記録装置に記録されている時点までであることを特徴とする請求項１または２記載の映像記録装置。
【請求項４】
前記副記録装置は、前記主記録装置に記録されている前記番組のうち、所定の期間内に再生されたことのない番組、特定の条件に基づいて前記主記録装置に記録された所定の条件で連続する番組、前記特定の条件に基づいて前記主記録装置に記録された所定の条件で連続する前記番組のいずれの番組も所定の期間内に再生されたことのない場合にその連続する総ての番組、を前記削除または転送の対象として管理可能であることを特徴とする請求項１または２記載の映像記録装置。
【請求項５】
前記主記録装置に保持されている前記番組が転送される記録先は、ネットワークに接続された任意の記録装置を含むことを特徴とする請求項１または２記載の映像記録装置。
【請求項６】
前記記録制御装置は、前記デコード装置および前記エンコード装置の少なくとも一方が非動作状態であることが継続される時間と、前記副記録装置に保持されている前記主記録装置に記録されている前記番組の少なくとも１つを削除または転送するために必要な時間とを比較し、前記継続される時間内に前記削除または転送が可能な番組に対する前記削除または転送を特定して前記削除または転送を実行することを特徴とする請求項２記載の映像記録装置。
【請求項７】
前記デコード装置および前記エンコード装置の少なくとも一方が非動作状態であることが継続される時間内に主電源がオンされた場合、前記削除または転送が停止されることを特徴とする請求項３記載の映像記録装置。
【請求項８】
前記記録制御装置は、前記番組の少なくとも１つを削除または転送するために必要な時間が前記デコード装置および前記エンコード装置の少なくとも一方が非動作状態であることが継続される時間よりも少ない場合に、前記主記録装置に記録されている前記番組を、前記番組中のデータの特性に応じて任意数に細分化し、前記番組を前記細分化された単位毎に、前記番組を１つずつ削除または転送することを特徴とする請求項２記載の映像記録装置。
【請求項９】
２以上の番組が同時に記録可能な主記録装置と、
前記主記録装置に記録された前記番組をデコードするデコード装置と、
前記主記録装置に記録すべき番組をエンコードするエンコード装置と、
前記主記録装置に記録される前記番組の記録形式に関する情報を個々の番組に関連付けて保持する副記録装置と、
前記エンコード装置が前記番組の任意の１つの番組のエンコードに利用されている場合に、前記エンコード装置によりエンコードされた番組を前記主記録装置に記録させるとともに、前記エンコード装置によるエンコードを伴わない前記番組の１つをそのまま前記主記録装置に記録させ、前記エンコード装置が非動作状態になった時点で前記そのまま前記主記録装置に記録された番組のエンコードに用いることを許可する記録制御装置と、
を有することを特徴とする映像記録装置。
【発明の詳細な説明】
【技術分野】
【０００１】
この発明は、録画した番組や入力された映像コンテンツの消去もしくは複製または移動を、録画予約されている番組の録画時間に影響を与えることなく処理できる映像記録装置に関する。
【背景技術】
【０００２】
記録容量の大きな記録装置であるハードディスク（ＨＤＤ）等が組み込まれた映像記録装置（以下、単に映像記録装置と称する）が広く普及している。
【０００３】
これにともない、今日では、単一の映像記録装置において１０００時間にも及ぶ録画も可能である。
【０００４】
一方で、記録容量が増大されているとはいうものの、ＨＤＤ等の記録容量は有限であるので、録画した番組の中から削除してもよい番組（タイトル）については、一定の条件のもとで順次削除されることも必要である。
【０００５】
また、ＨＤＤの空き容量を確保するために、例えばＤＶＤ規格やＨＤ  ＤＶＤ（High Definition Digital Versatile Disc）規格の光ディスクに代表される他の記録媒体に、録画された番組が転送されてもよい。
【０００６】
なお、番組のコンテンツすなわちディジタルデータは、例えばＭＰＥＧ規格により圧縮されているため、番組を録画する場合は、その番組の録画が終了するまで、映像記録装置が保持するデコーダとエンコーダが、占有されることになる。
【０００７】
このため、録画予約がある場合には、その録画予約を実行すべき時間が近づくと、転送中の番組の転送は、中止され、再び転送が要求される。
【０００８】
反面、映像記録装置の主電源がオフされている状態すなわち非動作時には、録画予約の時間が到来するまで、デコーダとエンコーダは、非使用状態である。
【０００９】
なお、ダビング作業を、ユーザが指定する所定の時間に実行できるダビング予約装置が既に提案されている（例えば、特許文献１）。
【特許文献１】特開２００５−１６７２９７も既に実用化されている。
【発明の開示】
【発明が解決しようとする課題】
【００１０】
しかしながら、特許文献１には、ダビング作業のための時間を、ユーザが指定する必要がある。なお、文献１には、ダビング中に、録画予約された時間が到来する場合、ユーザに「ダビング予約」の変更を促すことが示されているが、ユーザによる確認（チェック）が必要である。このことは、ユーザが不在である場合に、ダビングが完了できないことを示している。
【００１１】
この発明の目的は、非動作時間中に、録画した番組や入力された映像コンテンツの消去もしくは複製または移動できる映像記録装置を提供することである。
【課題を解決するための手段】
【００１２】
この発明は、
番組が記録される主記録装置と、
前記主記録装置に記録された前記番組をデコードするデコード装置と、
前記主記録装置に記録すべき番組をエンコードするエンコード装置と、
前記主記録装置に記録された前記番組のうち、任意の番組を削除または転送するための情報を保持する副記録装置と、
前記デコード装置および前記エンコード装置の少なくとも一方が非動作状態である時、前記副記録装置に保持されている前記任意の番組を削除または転送するための前記情報に基づいて、前記主記録装置に記録されている前記番組を削除または転送する記録制御装置と、
を有することを特徴とする映像記録装置
を提供するものである。
【発明の効果】
【００１３】
この発明の実施形態の１つを用いることで、ハードディスク装置等に記録されている番組（タイトル）の削除やダビングあるいは転送を、エンコーダ装置の動作に余裕のある非動作（録画／再生）時間以外の時間に実行可能であり、削除やダビングが即時に実行できない時や、ユーザが忙しいために実行結果を待つことが難しい場合等において、ダビングや削除の要求を予め伝えておく（タスク記憶部に記憶させておく）ことで、ダビングや削除が、任意のタイミングで実行できる。
【００１４】
また、選択された番組のダビング（転送）あるいは削除が実行されている間に、エンコーダ装置が動作（録画／再生）された場合であっても、エンコーダ装置が動作されるまでの時間において、ダビング（転送）あるいは削除が実行される。
【００１５】
なお、『削除おすすめ』や『ダビングおすすめ』等の機能により、自動的に処理タスクが予定された番組のダビング（転送）あるいは削除に関しても、実行前に確認できることから、例えば『おすすめ自動録画』機能により録画された番組のあることがユーザに認識されることなく削除されるような不本意（無駄）な処理が抑止される。
【００１６】
これにより、録画したまたは録画予約した番組が再生されることなく削除されることが防止されるとともに、ユーザの嗜好に起因して特定された（自動録画された）番組は必要に応じて他の容量のある記録装置に転送されて保持されることから、記録された番組の内容をチェックしつつ、次の録画予約を考慮して記録装置（ハードディスク装置）の残り容量を確保する、といったユーザの負担が低減される。
【発明を実施するための最良の形態】
【００１７】
以下、図面を参照して、この発明の実施の形態について詳細に説明する。
【００１８】
図１に、本発明の実施の形態が適用可能な記録再生装置の構成の一例を示す。
【００１９】
映像記録装置１は、後段に、それぞれを詳細に説明するが、記録／再生部１０、データ処理部２０、映像入力部３０、映像出力部４０、録画制御部６０、表示制御部７０および主制御部５０等を含む。
【００２０】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３と、以下に詳述するデータ処理部２０との間で、圧縮されたデータ（映像コンテンツ、すなわち番組）の転送に利用されるデータ転送制御部１１を含む。
【００２１】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合、要求に応じて再生されたデータがデータ処理部２０に出力される。
【００２２】
データ処理部２０は、データ編集部２１、エンコーダ２２、デコーダ２３、および音声映像処理部２４等を含み、後段に説明する映像入力部３０から供給されるデータ（番組）を所定形成に圧縮したのち記録／再生部１０に転送するとともに、再生要求に従って記録／再生部１０から出力されたデータを復号して、後段の映像出力部４０に出力する。
【００２３】
データ編集部２１においては、圧縮されたデータを記録／再生部１０に転送する際に、記録するための区分、例えば図示しないが、任意数のフォルダ（ディレクトリ）のうちの特定されたフォルダに対して、記録対象の番組（データ）を記録が指示されるとともに、その番組に「番組名」や「映画」あるいは「音楽」等の「ジャンル識別名」、「アーティスト（出演者）名」等の『データ特定項目』が付加可能である。もちろん、既に付加された『データ特定項目』は、編集もしくは消去可能である。
【００２４】
エンコーダ２２は、周知の圧縮器であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい、ことはいうまでもない。
【００２５】
デコーダ２３は、周知の復号器（伸長器）であり、エンコーダ２２による圧縮方法（規格）に対応する復号方法（規格）で、記録／再生部１０から供給されるデータ（番組）を復号（伸長）して、後段の映像出力部４０に向けて出力する。また、デコーダ２３には、周知の分離部が組み込まれてもよいことはいうまでもない。
【００２６】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ（On Screen Display）表示（ＯＳＤ（On Screen Display）５４により生成される操作用画面表示）が合成される。
【００２７】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２８】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２９】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００３０】
主制御部５０は、上述した記録／再生部１０、データ処理部２０、映像入力部３０および映像出力部４０のそれぞれに加え、以下に説明する録画制御部６０と表示制御部７０とを含む映像記録装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。
【００３１】
録画制御部６０は、例えば、録画情報制御部６１、番組表生成部６２、録画予約制御部６３およびタスク記憶部６４等を含む。
【００３２】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組案内情報（Dynamic Electronic Program Guide，以下、Ｄ−ＥＰＧと呼称する）に基づいて、ユーザによる録画予約の設定（入力／解除（消去））や予約情報の変更等が可能である。なお、Ｄ−ＥＰＧとは独立したもので、例えば放送波に、映像コンテンツとともに重畳されているＥＰＧ（Electronic Program Guide）からも、上記さまざまな情報が取得可能である。
【００３３】
番組表生成部６２においては、サーバ１０１からネットワークまたは通信回線により、あるいは放送波に重畳されているＥＰＧ表示のための信号から取得したＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００３４】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００３５】
タスク記憶部６４は、録画済の番組の再生や録画予約に基づく録画動作中を除く主電源オフ時である非動作時に、予めユーザが指示した録画済の番組の転送や消去（以下、イベント、と称する）に関する情報を保持し、後述する『あとで削除』あるいは『あとでダビング』等の非動作時のタスクが実行される際に、参照される。
【００３６】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００３７】
なお、例えばリモコン端末Ｒにより入力される制御コマンドおよび入力情報は、図１に示す本件の映像記録装置１においては、操作部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよいことはいうまでもない。
【００３８】
リモコン端末Ｒは、映像記録装置１による映像の録画に際して、録画先、例えばＨＤＤ１２または光ディスクＤ（光ディスクドライブ部１３）の特定、既に記録されている映像（番組）やそのタイトルまたは『データ特定項目』の編集、映像供給元の切り替えおよび予約録画の設定等に代表される各種、制御コマンドならびに入力すべき情報の入力に利用される。
【００３９】
なお、映像記録装置１は、ネットワークコントローラ３４を経由して接続可能なネットワーク網、例えば広く利用されているインターネットを介して接続されるサーバ（情報供給元）１０１と接続可能である。サーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。もちろん、ＥＰＧ向けの情報としては、放送波そのものに重畳されている信号も利用可能である。
【００４０】
次に、図２を参照して、図１に示した映像記録装置における、録画済のタイトル（番組またはコンテンツ）もしくは記録された映像データの削除を設定（「削除予約」）する例を説明する。例えば、図３に示すリモコン端末Ｒの『見るナビ』ボタン３０１により（ユーザから）「見るナビ」が選択されることで、図４に示すような「見るナビ（タイトルサムネイル一覧）」画面４０１が表示される。
【００４１】
なお、以下に説明するさまざまな表示（画面）においては、リモコン端末Ｒの詳述しない上下左右方向の４つの矢印キーにより現在選択中の表示が、反転表示され、例えば『決定』キー３１１により確定されることで、次の画面（または表示）が表示され、もしくは入力されたコマンドに対応する処理が実行されるものとする。
【００４２】
また、以下に説明する個々の『表示』は、映像記録装置１において、映像出力部４０に接続されたテレビ受像機（モニタ）Ｍの画面に表示される表示例であり、その『表示』となる表示パターンは、ＯＳＤ５４を経由して音声映像処理部２４で、ビデオ信号に重ね合わせられることはいうまでもない。なお、ＯＳＤ５４において生成されるパターンは、例えば録画制御部６０の番組表生成部６２や、ＭＰＵ５２のファームウエアまたは主制御部５０に用意される図示しないＲＯＭ等に、予め格納されているものとする。
【００４３】
次に、図４に示す「見るナビ（タイトルサムネイル一覧）」画面４０１において、『削除・ダビング』表示４１１が選択されると、図５に示すように、「見るナビ（タイトルサムネイル一覧）」画面５０１に、『クックメニュー』表示５１１が表示される。
【００４４】
以下、図５に示す「見るナビ（タイトルサムネイル一覧）」画面５０１において、『クックメニュー』表示５１１の中の『削除』表示５２１が選択されると、図６に示すように「編集ナビ（削除）」画面６０１が表示される。
【００４５】
図６において、例えば番組名［日帰りハワイの旅］表示６１１が選択されると、図７に示すように、例えば番組名［日帰りハワイの旅］表示７１１の映像（サムネイル（thumbnail））部分の輝度が所定の輝度に低下され、例えば番組名［日帰りハワイの旅］表示７２１が反転表示される。
【００４６】
なお、図７に示された［日帰りハワイの旅］表示７１１により管理される番組が、例えば［シリーズ録画］された番組である場合には、図示しないが［シリーズ録画］された番組の総てを削除するか否かを設定するための設定画面が表示され、ユーザによる選択に従って、シリーズの総て、あるいは設定された特定のタイトルのみ、のいずれかのタイトルが削除される。
【００４７】
一方、例えばユーザの嗜好性を推測して『おすすめ自動録画』機能により録画された番組に関し、その番組が、所定の期間内に一度も再生されていないような場合には、それらの番組を、『削除』のタスクとしてタスク記憶部６４に追加することで、ユーザに「削除対象」の番組であることを知らせることもできる。
【００４８】
続いて、リモコン端末から『削除』が指示されると、図８に示すように、（「編集ナビ（削除）」画面８０１に重ねて）削除のタイミング（時期）を特定するための『削除時期選択』画面８１１が表示される。なお、『削除時期選択』画面８１１には、さらに『あとで実行』ボタン表示８２１、『今すぐ実行』ボタン表示８２２、および『いいえ』ボタン（キャンセル）表示８２３等に代表される複数のボタン表示が表示される。
【００４９】
以下、例えば『あとで実行』ボタン表示８２１が選択され、確定（決定）されると、タスク記憶部６４に、削除が指示されたタイトル（番組）が追加され、処理に必要な時間が計算されて、（削除が指示された）タイトルと関連付けられて、記憶される。
【００５０】
再び、図２を参照して、画面表示例（図４〜図８）により説明した、録画済のタイトル（番組またはコンテンツ）もしくは記録された映像データの削除を設定（「削除予約」）する際の流れを説明する。
【００５１】
始めに、図４〜図５により説明した削除画面が呼び出され、図６〜図７により説明した手順に従って、削除すべき番組（タイトル）が特定される（Ｓ１−１０）。
【００５２】
ステップＳ１−１０において、削除すべき番組（タイトル）が決定（特定）されると、図８に示した通り、『削除時期選択』画面８１１が表示される（Ｓ１−１１）。
【００５３】
『削除時期選択』画面８１１において、『あとで実行』ボタン表示８２１により、削除の予約が選択（Ｓ１−１２−Ｎｏ）されると、『あとで実行』がタスク記憶部６４に記憶される。このとき、処理（削除）に必要な時間が計算されて、（削除が指示された）タイトルと関連付けられて、記憶される（Ｓ１−２０）。
【００５４】
一方、『削除時期選択』画面８１１において、『今すぐ実行』ボタン表示８２２による削除開始が選択（Ｓ１−１２−Ｙｅｓ）されると、主制御部５０の制御により、ＨＤＤ１２に記録されている番組（タイトル）が消去（削除）され、図示しないが、選択された番組の削除が完了したことを示す［削除終了表示画面］が表示される（Ｓ１−１３）。
【００５５】
なお、任意の番組（タイトル）または記録されている画像データが再生されている状態でリモコン端末Ｒの図示しない削除ボタンがオンされた場合においても、図８により説明した『削除時期選択』画面８１１が表示され、上述したように、削除の予約もしくは削除開始が、選択可能である。
【００５６】
次に、図９を参照して、図１に示した映像記録装置における、録画済のタイトル（番組またはコンテンツ）もしくは記録された映像データのダビング（転送）を設定（「ダビング予約」）する例を説明する。なお、図２および図４ないし図８により既に説明した手順あるいは要素と類似した手順あるいは要素については、その図面を援用して詳細な説明の一部または全部を省略する。また、以降、ダビングとして全体を説明するが、例えば衛星デジタル放送等により供給される番組（コンテンツ／タイトル）の中には、ダビング（複製）が許可されていないものもあり、それについては、転送先による視聴が許可されている場合に、もともとの録画済データが削除される『転送（move）』のみが許可されるものとする。
【００５７】
図４に示した「見るナビ（タイトルサムネイル一覧）」画面４０１において、『削除・ダビング』表示４１１が選択されると、画面５０１（図５参照）に示したように、『クックメニュー』表示５１１が表示される。
【００５８】
以下、図５に示す「見るナビ（タイトルサムネイル一覧）」画面５０１において、『クックメニュー』表示５１１の中の『ダビング』表示５３１が選択されると、図１０に示すように「編集ナビ（ダビング）」画面１００１が表示される。
【００５９】
図１０において、例えば番組名［日帰りハワイの旅］表示１０１１が選択されると、図１１に示すように、例えば番組名［日帰りハワイの旅］表示１１１１のサムネイル部分の輝度が所定の輝度に低下され、例えば番組名［日帰りハワイの旅］表示１１２１が反転表示される。
【００６０】
なお、図１０に示された［日帰りハワイの旅］表示１０１１に管理される番組が、例えば［シリーズ録画］された番組である場合には、図示しないが［シリーズ録画］された番組の総てをダビングするか否かを設定するための画面が表示され、ユーザによる選択に従って、シリーズの総て、あるいは設定された特定のタイトルのみ、のいずれかのタイトルがダビングされる。また、録画終了から所定時間（日数）が経過しても一度も再生されていない番組については、詳述しないが、周知の統計的手法により特定される『ダビングおすすめ』により、ダビング（または転送）されることで、ＨＤＤ１２の残り記録容量が、一定以上、維持される。その際、例えばユーザの嗜好性に合わせた『おすすめ自動録画』機能により録画された番組については、その総てをダビングする等の、特定の設定を反映させることも可能である。
【００６１】
例えば、お好み情報は、タスク記憶部６４や録画予約制御部６３に保持されている個々のユーザが特定（予約）した番組の情報であって、ユーザＩＤとともにネットワークコントローラ３４からサーバ１０１に送信され、例えばサーバ１０１の番組情報登録部１１１等に規定される（ユーザ毎の）お好み情報として保持される。サーバ１０１においては、管理者が保持するプログラム（アプリケーション）により、Ｄ−ＥＰＧにより供給されている番組情報からユーザが好むと思われる番組を抜き出した情報が作成され、例えば番組表生成部６２に提供される。また、評価値として、例えば、過去１ヶ月、あるいは数ヶ月間のデータであって、番組に対するユーザの視聴回数や、番組を最初から最後まで見たか否かを示すフラッグ等を用いて、それぞれポイント化され、そのポイントに基づいて、各番組が重み付けされる。もちろん、視聴回数が多い番組ほど高い評価値が付加されてもよい。なお、また最初から最後まで見たフラッグがついている番組に対しても高い評価値が付加されるようにしてもよい。評価の方法は、種々の方法が可能であり、ソフトウエアのアルゴリズムにより異なる。
【００６２】
続いて、リモコン端末Ｒから［ダビング］が確定（決定）されると、図１２に示すように、（「編集ナビ（ダビング）」画面１２０１に重ねて）のタイミング（転送）の条件を設定するための『ダビング品質選択』画面１２１１が表示される。なお、『ダビング品質選択』画面１２１１においては、例えば「ダビング先」や「モード（レート）」等が選択可能であるが、ここでは詳細な説明は省略する。また、この実施の形態が適用される映像記録装置１では、ＨＤＤ１２から光ディスクＤへ、または光ディスクＤからＨＤＤ１２へのダビングに加え、閉じたネットワーク、例えば家庭内ＬＡＮ（Local Area Network）により接続された他の記録装置のＨＤＤ（ハードディスクドライブ）装置や光ディスクへのダビング（転送）も可能である。
【００６３】
『ダビング品質選択』が決定されることで、図１３に示すように、（「編集ナビ（ダビング）」画面１３０１に重ねて）ダビング（転送）のタイミング（時期）を特定するための『ダビング時期選択』画面１３１１が表示される。なお、『ダビング時期選択』画面１３１１には、さらに『あとで実行』ボタン表示１３２１、『今すぐ実行』ボタン表示１３２２、および『いいえ』ボタン（キャンセル）表示１３２３等に代表される複数のボタン表示が表示される。
【００６４】
以下、例えば『あとで実行』ボタン表示１３２１が選択され、確定（決定）されると、タスク記憶部６４に、ダビング（転送）が指示されたタイトル（番組）が追加され、処理に必要な時間が計算されて、（ダビング（転送）が指示された）タイトルと関連付けられて、記憶される。
【００６５】
再び、図９を参照して、画面表示例（図４〜図８）により説明した、録画済のタイトル（番組またはコンテンツ）もしくは記録された映像データのダビング（転送）を設定（「ダビング予約」）する際の流れを説明する。
【００６６】
始めに、図４〜図５により説明した手順によりダビング設定画面が呼び出され、図１０〜図１１により説明した手順に従って、ダビング（転送）すべき番組（タイトル）が特定される（Ｓ２−１０）。
【００６７】
ステップＳ２−１０において、ダビング（転送）すべき番組（タイトル）が決定され、ダビング（転送）条件が設定されると、図１３に示した通り、『ダビング時期選択』画面１３１１が表示される（Ｓ２−１１）。
【００６８】
『ダビング時期選択』画面１３１１において、『あとで実行』ボタン表示１３２１により、ダビング（転送）の予約が選択（Ｓ２−１２−Ｎｏ）されると、『あとで実行』がタスク記憶部６４に記憶される（Ｓ２−２０）。
【００６９】
一方、『ダビング時期選択』画面１３１１において、『今すぐ実行』ボタン表示１３２２によるダビング（転送）開始が選択（Ｓ２−１２−Ｙｅｓ）されると、主制御部５０の制御により、番組（タイトル）供給元に現在記録されている番組（タイトル）がダビング（転送）先の記録媒体に、ダビング（転送）される。また、ダビング（転送）が完了すると、図示しないが、選択された番組のダビング（転送）が完了したことを示す［ダビング終了表示画面］が表示される（Ｓ２−１３）。
【００７０】
ところで、映像記録装置１のＨＤＤ１や光ディスクＤに記録されている番組（映像コンテンツ）は、例えばＭＰＥＧ２規格によりエンコード（圧縮）されている。従って、削除については、考慮する必要のない場合もあるが、ダビング（転送）に関しては、その記録状態、特にモード（レート）の変換を伴う場合において、デコード（復調／伸長）が必要となる。
【００７１】
このことは、映像記録装置１においては、多くの場合、１セットであるエンコーダ２２（図１参照）およびデコーダ２３（図１参照）を用いる新たな録画が生じた（または録画予約時間が到来した）場合に、ダビング（転送）を中断しなければならないことを示している。なお、デコードおよびエンコードは、一般に、１つのファイル（番組／タイトル）である記録単位、および１つのファイル内に予め規定されている区切り（例えばチャプタと称される）に基づいてのみ処理可能である。従って、ダビング（転送）処理を実行する際には、録画予約されている番組の録画開始時間までに処理が完了できることを検出する必要がある。
【００７２】
図１４は、図９に示したタスク処理において、任意数のタスク「ｉ」の１つの「ｉ」の処理（ダビング（転送）／削除）の流れの一例を示す。なお、「ｉ」は、図２７あるいは図２９により後述するが、あらかじめ優先度の高い順に並べられているものとする
映像記録装置１における新たな録画が生じる（または録画予約時間になる）までの間に処理すべきタスクが存在するか否かが判断され（Ｓ３−１１）、タスクが存在する場合には（Ｓ３−１１−Ｙｅｓ）、現在時刻（主電源スイッチオフ）から、次に始まる録画予約あるいはイベントまでの時間がタスク処理に利用可能な作業時間「Ｓ」として求められる（Ｓ３−１２）。
【００７３】
続いて、作業時間「Ｓ」の間に処理可能なタスクが存在するか否かが、図１５により、詳細に説明するステップＳ４−１１〜Ｓ４−１２−Ｙｅｓ〜Ｓ４−２０あるいはステップＳ４−１１〜Ｓ４−１２−Ｎｏ〜Ｓ４−１３〜Ｓ４−１４〜Ｓ４−１５により、判定される（Ｓ３−１３）。
【００７４】
ステップＳ３−１３において、タスクが存在することと判断された場合（Ｓ３−１３−Ｙｅｓ）、特定されたタスクが処理され（Ｓ３−１４）、処理が終了した時点で、処理されたタスク「ｉ」に、タスク処理が終了したことを示す［フラグ］または「マーカ」が付される（Ｓ３−１５）。
【００７５】
以下、残りのタスクの有無が判定され（Ｓ３−１６）、残りのタスクがある場合（Ｓ３−１６−Ｙｅｓ）には、引き続き、次のタスクが処理される。
【００７６】
なお、ステップＳ３−１３において、作業時間「Ｓ」よりも処理時間が短い「任意数のタスク」が存在する場合、例えば処理時間の短いタスクから処理されてもよいが、作業時間内で終了が終了すると判断される複数のタスクについて、その優先度が特定されてもよい。
【００７７】
図１５は、図１４に示したダビング（転送）処理が、作業時間「Ｓ」の間に処理可能か否かを判定し、実行可能なタスクが存在する場合に、タスク（すなわちダビング（転送））処理を実行する手順の一例を示す。なお、ここでは、図２ならびに図４ないし図８により既に説明した『削除』についても、ＨＤＤ１２または光ディスクＤに新たな録画ができない時間が生じることから、タスクの１つとして、タスク記憶部６４に記憶し、ダビング（転送）と合わせて処理対象とすることとする。
【００７８】
先ず、現在時刻から、次に始まる録画予約またはイベントまでの時間を、タスク処理に利用可能な作業時間Ｓとし、作業時間Ｓを求める。なお、現在時刻は、映像記録装置１の図示しない主電源スイッチがオフされた時刻とする（Ｓ４−１０）。
【００７９】
ステップＳ４−１０において、現在時刻が検出された（主電源スイッチオフ）時点で、残処理タスク総数を「Ｔ」とし、それぞれのタスク「ｉ（０≦ｉ＜Ｔ）」の処理完了までにかかる時間を「ｔ［ｉ］」とする。
【００８０】
なお、それぞれのタスク「ｉ」の処理に係る時間としては、［ダビング（転送）］については、例えば『タイトル長（分）＋制御情報の記録に必要な時間（３分）』とし、［削除］については『制御情報の記録に必要な時間を含んで、合計で５（分）』とする。もちろん、『制御情報の記録に必要な時間』等は、実際には、ハードウェアの性能等の要因によって異なることは、いうまでもない（Ｓ４−１１）。
【００８１】
次に、タスク[ｉ]の処理完了までの時間「ｔ［ｉ］」と作業時間「Ｓ」とを、順に比較する。なお、実際の判断（比較）においては、「ｉ＝０」から判断するものとする（Ｓ４−１２）。
【００８２】
ステップＳ４−１２において、「ｔ［ｉ］＜Ｓ」か否かが判断され、「ｔ［ｉ］＜Ｓ」である場合（Ｓ４−１２−Ｙｅｓ）、タスク「ｉ」が処理タスクとして決定される（Ｓ４−２０）。以下、タスク「ｉ」の処理が開始される。
【００８３】
一方、ステップＳ−１２において、作業時間「Ｓ」のほうが小さい場合（Ｓ４−１２−Ｎｏ）、そのタスク「ｉ」は処理できないので、「ｉ＝ｉ＋１（Ｓ４−１３）」、「ｉ＝Ｔ（Ｓ４−１４−Ｎｏ）」により、次のタスクについて「Ｔ［ｉ］」が求められる。
【００８４】
総ての「ｉ」について、作業時間「Ｓ」に対して「ｔ［ｉ］＜Ｓ」が比較された場合（Ｓ４−１４−ｙｅｓ）、『処理できるタスク「ｉ」が存在しない』と判定され、処理が終了する。
【００８５】
例えば、図１６（ａ）に示すように、図１５で説明した映像記録装置の主電源スイッチがオフされた時点で、タスク記憶部に保持されているタスクが「タイトルＡ」、「タイトルＢ」および「タイトルＣ」であり、「タイトルＣ」は処理時間が「タイトルＡ」および「タイトルＢ」よりも長いものの、優先度が高いとする（優先すべきタイトルであることが指示されているとする）。
【００８６】
この場合、図１６（ｂ）に示すように、「タイトルＡ」〜「タイトルＢ」〜「タイトルＣ」の順に処理するならば、「タイトルＣ」については、優先度が高いにもかかわらず、処理できないことになる。しかしながら、優先度の指示に基づいて、図１６（ｃ）に示すように、「タイトルＣ」〜「タイトルＡ」〜「タイトルＢ」の順を設定すれば、優先度が高い「タイトルＣ」の処理が可能となり、さらに「タイトルＡ」の処理が完了する。
【００８７】
なお、タイトルを並べ替える具体的な方法については、既に多くの提案があり、容易に実施可能であるから、ここでは説明を省略する。
【００８８】
図１７は、上述したダビング（転送）／削除処理をタスク記憶部６４に記憶されているタスクについて実行した後、映像記録装置１の主電源スイッチがオンされた際に（ユーザへ）処理結果を報知する手順の別の一例を示す。なお、処理結果を報知する画面の一例を図１８として、示す。
【００８９】
図示しないが、映像記録装置１の主電源スイッチがオンされると、主電源がオフされている間に処理したタスクの有無がタスク記憶部６４を参照して判定され（Ｓ５−１０）、処理されたタスクが存在する場合（Ｓ５−１０−Ｙｅｓ）には、図１８に一例を示すような『処理結果を報知する表示』が、例えばモニタ装置Ｍに表示可能に、出力部４０の出力端４４あるいは外部出力部４２に、出力される。すなわち、モニタ装置Ｍあるいはテレビ受像機が接続されている場合には、図１８に示す『アラート画面』表示１８１１が、画面１８０１に、表示される。なお、『アラート画面』表示１８１１には、例えば『録画待機中に、＜削除○○件＞、＜ダビング□件＞処理しました』等の表示と、例えば［『今すぐ確認』ボタン］表示１８２１と［『了解』ボタン］表示１８２２とが表示される（Ｓ５−１１）。
【００９０】
以下、ステップＳ５−１１において表示された［『今すぐ確認』ボタン］表示１８２１がリモコン端末Ｒにより選択された場合（Ｓ５−１２−Ｙｅｓ）、例えば図１９に一例を示すような［『処理済タスク表示』画面］１９０１が表示される（Ｓ５−１３）。
【００９１】
図２０は、図１４ないし図１６により説明したダビング（転送）／削除処理を、タスク記憶部６４に記憶されているタスクについて実行している間に、ユーザによる「割り込み処理」すなわち映像記録装置１の電源がオンされた場合に、（現在処理中の）タスク処理が中断される場合を示す。
【００９２】
例えば、タスク記憶部６４に保持されているタスクが「タイトルＡ」、「タイトルＢ」および「タイトルＣ」であって、優先度が総て同じであるとすれば、図１５に示した作業時間「Ｓ」においては、「タイトルＡ」〜「タイトルＢ」〜「タイトルＣ」の順にタスクが処理される。
【００９３】
しかしながら、「タイトルＣ」に対するタスクの処理中に、ユーザによる「割り込み処理」すなわち、映像記録装置１を起動させて、ユーザが既に録画されている番組あるいは用意したソフトを再生しようとした場合、エンコーダ２２（図１参照）およびデコーダ２３（図１参照）を解放するために、現在実行されている、ダビング（転送）あるいは削除等のタスクは、中断しなければならない。
【００９４】
しかしながら、「タイトルＣ」が、連続した１つのファイル（番組／タイトル）である場合には、（途中まで処理された）タスクは、再び最初からやり直すことが必要となる。
【００９５】
このため、例えば図１８に示した処理結果を報知する画面（『アラート画面』表示１８１１）には、例えば『録画待機中に、＜削除○○件＞、＜ダビング□件＞処理しました』等の処理済のタスクの表示に加え、『録画待機中の＜「タイトルＣ」＞のダビングは中断されました（中断により「タイトルＣ」の処理が終了していません）』等のメッセージが表示される。
【００９６】
ところで、既に説明したように、例えば衛星デジタル放送等により供給される番組（コンテンツ／タイトル）の中には、ダビング（複製）が許可されていないものもあり、それについては、転送先による視聴が許可されている場合に、もともとの録画済データが削除される場合がある。
【００９７】
このことは、ユーザが映像記録装置１を起動させた場合に転送中であった番組（コンテンツ／タイトル）の一部またはその大部分の次回の再生を困難とすることが考えられる。
【００９８】
このため、特にダビング（複製）が許可されていない番組（コンテンツ／タイトル）をタスクとした処理については、図２１ないし図２６に一例を示すように、一回に転送するコンテンツの大きさを、例えば『マジックチャプタ』と称される［区切り（分割）］手法を用いて、任意数のチャプタに細分化しながら、転送することが好ましい。
【００９９】
図２１ないし図２３に示すように、チャプタ境界設定処理部を、図１に示した主制御部５０の制御バス５１に、例えば録画制御部６０と同様に接続することにより、例えば「ＣＭ」を検出して、チャプタを設定する例を示す。
【０１００】
図２１において、チャプタ境界設定処理部８０は、映像構造化処理部８０ｐにより取得された第１の区切り情報（チャプタ分割点）と、任意区間検出処理部８０ｑにより取得された第２の区切り情報（任意区間情報又は音声区間情報又はＣＭ区間情報）に基づいて、「ＣＭ」が含まれていることを検出する。なお、映像構造化処理部８０においては、第２の区切り情報で設定された任意区間内に、第１の区切り情報が存在する場合には、この第１の区切り情報を非採用とする。また、図２２は、図２１に説明したチャプタ境界設定処理部８０の動作を説明するために、主要部を抜き出したものである。
【０１０１】
図２１に示す任意区間検出処理部８０ｑは、無音検出装置８１を含む。
【０１０２】
無音検出装置８１は、所定時間音声レベルが閾値以下の部分を無音部として検出する。
【０１０３】
無音検出装置８１は、無音情報を出力し、無音時刻記録装置８２に供給する。
【０１０４】
無音部時刻記録装置８２は、番組における無音部が判定された時刻の情報である無音時刻情報を保持する。
【０１０５】
無音時刻記録装置８２に記録された無音時刻情報は、無音部間隔計算装置８３にて処理される。
【０１０６】
無音部間隔計算装置８３は、さらにブロック化すると無音部と次の無音部との時間間隔が一定時間（Ａ）の倍数であるかどうかを判定する無音部時間間隔計測部８３ａと、時間間隔が一定時間（Ａ）の倍数であれば、無音部の検出をカウントする無音部カウント処理部８３ｂと、無音部のカウント数が閾値（Ｂ）個以上あれば、最初と最後に現れた無音部に対して、区切り情報を設定する無音部の条件判定部８３ｃとを含む。
【０１０７】
図２２に示されるように、セレクタ部３５（図１参照）を通じて供給される映像信号と音声信号は、映像構造化処理部８０ｐ、任意区間検出処理部８０ｑに入力される。
【０１０８】
それぞれに入力された映像信号および音声信号は、第１の区切り情報（構造化情報と称される）と、第２の区切り情報（任意区間情報と称される）は、チャプタ境界設定処理部８０ｒに入力される。
【０１０９】
チャプタ境界設定部８０ｒは、第１と第２の区切り情報を重ねた第３の区切り情報を得る。但し、所定の条件に当てはまるチャプタ分割点は、不採用とし、採用されたチャプタ分割点を記録装置１３の管理情報に挿入する。
【０１１０】
図２３は、チャプタ境界設定処理部８０の動作をさらに詳細に説明している。
【０１１１】
任意の番組の時間方向（時刻の一連の変化、通常は積算）に対して、映像構造化処理部８０ｐにより、ｃ１、ｃ２、…、ｃ５のように、チャプタ分割点（第１の区切り情報）が検出されたとする。
【０１１２】
一方、同じ番組の時間方向に対して、任意区間検出処理部８０ｑは、第２の区切り情報ｍ１、ｍ２、ｍ３、ｍ４を検出し、任意区間をｍ１とｍ２の間、とｍ３とｍ４の間に設定しているものとする。
【０１１３】
すると、任意区間（ｍ１−ｍ２）に、映像構造化処理部８０ｐにより検出された区切り情報ｃ３が存在する。このような場合、区切り情報ｃ３を否採用とする。
【０１１４】
これにより、チャプタ分割点が、任意区間内（例えばステレオを音声が連続するような区間）に付加されることがない。任意の区間とは、例えば音声モードが変化せず連続している区間、あるいは、ステレオモードが連続している区間などである。さらには、所定帯域内の音声周波数が連続しているような区間である。
【０１１５】
なお、図２１ないし図２３に示したチャプタ境界設定処理部および任意区間検出処理部においては、図２４に示すように、任意区間検出処理部８０ｑを、ＣＭ区間検出用として用いることもできる。
【０１１６】
例えば、ｍ１−ｍ２の区間と、ｍ３−ｍ４の区間がＣＭ区間として検出されたものとする。このＣＭ区間（ｍ１−ｍ２）に、映像構造化処理部８０ｐにより検出された区切り情報ｃ３が存在するものとする。このような場合、区切り情報ｃ３を否採用とする。これにより、ＣＭ区間内にチャプタ分割点が設定されることがない。
【０１１７】
このように、例えばダビング（複製）が許可されていない番組（タイトル）をタスクとした転送処理については、図２１ないし図２３あるいは図２４に一例を示したように、一回に転送するコンテンツの大きさを『マジックチャプタ』と称される［区切り（分割）］手法を用いて、任意数のチャプタに細分化しながら、転送することで、ユーザが映像記録装置１を起動させた場合であっても、ほとんどの番組（タイトル）のコンテンツを、実質的に総て転送できる。
【０１１８】
次に、一度記録した情報のデータサイズすなわち記録容量を、ダビングにより低減する方法の一例を説明する。
【０１１９】
例えば、図１に示した映像記録装置１が同時に２つのＴＳ（トランスポートストリーム（Transport stream）と呼ばれる周知のデータ形式の）番組を受信可能である場合に、それぞれのタイトル（番組）をＴＳ形式のままで保存したならば、ＨＤＤ１２の残り記録容量が大幅に減少することは、良く知られている。このため、ダウンコンバート（レート変換）して、記録（保存）可能なタイトル数を向上させる手法が広く利用されている。
【０１２０】
このような背景から、エンコーダ２２を任意の１つのＴＳ番組（タイトルＡ）の受信とダウンコンバートした記録（録画）に割り当て、残りのＴＳ番組（タイトルＢ）については、図２５に示すように、一旦、ＴＳ形式のままで所定の記録装置、例えばＨＤＤ１２に記録したのち、図１２または図１５により説明したように、次に始まる録画予約またはイベントまでのエンコーダ２２が動作されていない時間を利用して、ダウンコンバートすることで、ＨＤＤ１２の記録容量を大幅に低減することなく、２つ以上の番組を、保存（記録）できる。
【０１２１】
より詳細には、図２６に示すように、チューナ部（２つめ）が「非使用状態である（あいている）」ことがチェックされ（Ｓ６−１０−Ｙｅｓ）、エンコーダが非動作中（未使用）であることがチェックされた場合（Ｓ６−１１−Ｙｅｓ）、ダウンコンバートにより一方の番組を録画し、他の一方の番組は、一旦通常録画するとともに、タスク記憶部６４（図１参照）に、「タスク」として［ダビング（ダウンコンバート）］を追加し（Ｓ６−１３）、エンコーダに余裕ができた時点でダウンコンバートすればよい。
【０１２２】
図２７は、上述したさまざまなタスク「ｉ」がタスク記憶部６４に保持されている状態を概念的に示し、図８あるいは図１３に示した「削除」／「ダビング（転送）」設定画面において、『あとで実行』が選択された際に、表示される「タスク表示画面」の一例を示す。
【０１２３】
例えば、［『タスク表示』画面］２７０１においては、タイトル（番組）名が［タイトル名］欄に、タイトル（番組）が処理されるべきタスク（作業／処理）の種類、すなわち「削除」や「ダビング」の表示が［タスク］欄に、作業（処理）に要する作業時間の情報が［作業時間］欄に、それぞれ、一覧表示される。なお、一画面あたりに表示される件数は、ここでは８件の例を示したが、その件数は、任意に設定できる。また、実行（処理）済みのタイトルに関しては、［作業時間］欄に、例えば『済』が表示される。
【０１２４】
一方、図２７に示した［『タスク表示』画面］は、例えば図１９により説明した［『処理済タスク表示』画面］との組み合わせで用意されるもので、図２８に示す［『残タスク表示』画面］２８０１として、これから実行されるタスクのみを表示する画面を表示することも可能である。なお、図２８の［『残タスク表示』画面］２８０１においては、優先度の高いタスクが上方に表示されるものとする。
【０１２５】
さらに、例えば図２９（ａ）および（ｂ）に示すように、図２８に示した［『残タスク表示』画面］２８０１において、優先度を変更したいタイトル（図２９（ａ）において上から２つ目のタイトル表示）に図示しない上下キー（リモコン端末Ｒ）により『移動枠』２９ａを合わせたのち、リモコン端末Ｒの図示しない決定キーにより『移動枠』２９−１が合わせられたタイトルを特定し（図２９（ａ））、移動したい順番のタイトル表示の１つ下のタイトル表示に『移動枠』２９−１を移動させて（図２９（ｂ））、決定キーにより特定することで、図３０に示すように、個々のタイトルに対する処理の優先度を変更することができる。
【０１２６】
以上説明したように、この発明の実施形態の１つを用いることで、ハードディスク装置等に記録されている番組（タイトル）の削除やダビングあるいは転送を、エンコーダ装置の動作に余裕のある非動作（録画／再生）時間以外の時間に実行可能であり、削除やダビングが即時に実行できない時や、ユーザが忙しいために実行結果を待つことが難しい場合等において、ダビングや削除の要求を予め伝えておく（タスク記憶部に記憶させておく）ことで、ダビングや削除が、任意のタイミングで実行できる。
【０１２７】
また、選択された番組のダビング（転送）あるいは削除が実行されている間に、エンコーダ装置が動作（録画／再生）された場合であっても、エンコーダ装置が動作されるまでの時間において、ダビング（転送）あるいは削除が実行される。
【０１２８】
なお、『削除おすすめ』や『ダビングおすすめ』等の機能により、自動的に処理タスクが予定された番組のダビング（転送）あるいは削除に関しても、実行前に確認できることから、例えば『おすすめ自動録画』機能により録画された番組のあることがユーザに認識されることなく削除されるような不本意（無駄）な処理が抑止される。
【図面の簡単な説明】
【０１２９】
【図１】この発明の実施の形態が適用可能な映像記録装置の構成の一例を示す概略図。
【図２】図１に示した映像記録装置において、録画済のタイトル（番組／コンテンツ）もしくは記録された映像データの削除を設定（「削除予約」）する手順の一例を示すフローチャート。
【図３】図１に示した映像記録装置において、削除の設定（「削除予約」）に利用されるリモコン端末の一例を示す概略図。
【図４】図３に示したリモコン端末からの指示により表示される「見るナビ（タイトルサムネイル一覧）」画面の表示例の一例を示す概略図。
【図５】図４に示した「見るナビ（タイトルサムネイル一覧）」画面の表示例に引き続いて表示される「見るナビ（タイトルサムネイル一覧）」画面（削除画面）の表示例の一例を示す概略図。
【図６】図５に示した「見るナビ（タイトルサムネイル一覧）」画面（削除画面）の表示例に引き続いて表示される「編集ナビ（削除）」画面の表示例の一例を示す概略図。
【図７】図６に示した「編集ナビ（削除）」画面がユーザからの指示により変化された状態の表示例の一例を示す概略図。
【図８】図７に示した（変化された状態の）「編集ナビ（削除）」画面に、『削除時期選択』画面が重ねて表示された状態の表示例の一例を示す概略図。
【図９】図１に示した映像記録装置において、録画済のタイトル（番組／コンテンツ）もしくは記録された映像データのダビング（転送）を設定（「ダビング予約」）する手順の一例を示すフローチャート。
【図１０】図９に示した「編集ナビ（ダビング）」画面の表示例の一例を示す概略図。
【図１１】図１０に示した「編集ナビ（ダビング）」画面がユーザからの指示により変化された状態の表示例の一例を示す概略図。
【図１２】図１１に示した「編集ナビ（ダビング）」画面に、『ダビング品質選択』画面が重ねて表示された状態の表示例の一例を示す概略図。
【図１３】図１１に示した「「編集ナビ（ダビング）」画面に、『ダビング時期選択』画面が重ねて表示された状態の表示例の一例を示す概略図。
【図１４】図９に示したダビング（転送）を設定（「ダビング予約」）するフローにおいて、実行可能なタスクの有無を判定する手順の一例を示すフローチャート。
【図１５】図１４に示したタスク「ｉ」の１つの「ｉ」の処理（ダビング（転送）／削除）の流れの一例を示すフローチャート。
【図１６】図１５に示したタスクの処理のうち、優先度が高いとする（優先すべきタイトル）の処理の順番を変更する方法の一例を示すフローチャート。
【図１７】図１６に示したタスクの処理の結果を、主電源がオンされた際にユーザへ報知する手順の一例を示すフローチャート。
【図１８】図１７に示したタスクの処理結果を報知する表示画面の表示例の一例を示す概略図。
【図１９】図１４または図１５に示したタスクの処理結果を報知する表示画面の表示例の一例を示す概略図。
【図２０】図１４ないし図１６により説明したダビング（転送）／削除処理が、ユーザによる「割り込み処理」により中断される状態の一例を示す概略図。
【図２１】図１に示した映像記録装置に組み込まれるチャプタ境界設定処理部の実施形態の一例を示す概略図。
【図２２】図２１に示したチャプタ境界設定処理部による（１つの番組の）区分の方法の一例を説明する概略図。
【図２３】図２２に示したチャプタ境界設定処理部による（１つの番組の）区分の方法の別の一例を説明する概略図。
【図２４】図２３に示したチャプタ境界設定処理部による（１つの番組の）区分の方法のさらに別の一例を説明する概略図。
【図２５】図１に示した映像記録装置において、同時に２つのＴＳ番組を受信して両者をダウンコンバートして記録する場合に、その一方のダウンコンバートを、エンコーダが非動作状態であるときに実行する概念を説明する概略図。
【図２６】図２５に示した同時に２つのＴＳ番組を受信して両者をダウンコンバートして記録する場合に、その一方のダウンコンバートを、エンコーダが非動作状態であるときに実行するための手順の一例を示すフローチャート。
【図２７】さまざまなタスク「ｉ」に対する「削除」／「ダビング（転送）」設定画面において、『あとで実行』が選択された際に、表示される『タスク表示』画面の表示例の一例を示す概略図。
【図２８】図２７に示した『タスク表示』画面を変形した『残タスク表示』画面の表示例の一例を示す概略図。
【図２９】図２８に示した『残タスク表示』画面を用いて、個々のタイトルに対する処理の優先度を変更する手順の一例を示す概略図。
【図３０】図２９に示した個々のタイトルに対する処理の優先度を変更する手順の一例により優先度が変更された『タスク表示』画面の表示例の一例を示す概略図。
【符号の説明】
【０１３０】
１…映像記録装置、１０…記録／再生部、２０…データ処理部、２４…音声映像処理部、３０…映像入力部、４０…映像出力部、４４…映像／音声出力端、５０…主制御部、５２…ＭＰＵ、５４…ＯＳＤ、６０…録画制御部、６１…録画情報制御部、６２…番組表生成部、６３…録画予約制御部、６４…タスク記憶部、７０…表示制御部、７３…操作部、８０…チャプタ境界設定処理部、８０ｐ…映像構造化処理部、８０ｑ…任意区間検出処理部、１０１…サーバ。
【図１】
2007306521.tif 000003
【図２】
2007306521.tif 000004
【図３】
2007306521.tif 000005
【図４】
2007306521.tif 000006
【図５】
2007306521.tif 000007
【図６】
2007306521.tif 000008
【図７】
2007306521.tif 000009
【図８】
2007306521.tif 000010
【図９】
2007306521.tif 000011
【図１０】
2007306521.tif 000012
【図１１】
2007306521.tif 000013
【図１２】
2007306521.tif 000014
【図１３】
2007306521.tif 000015
【図１４】
2007306521.tif 000016
【図１５】
2007306521.tif 000017
【図１６】
2007306521.tif 000018
【図１７】
2007306521.tif 000019
【図１８】
2007306521.tif 000020
【図１９】
2007306521.tif 000021
【図２０】
2007306521.tif 000022
【図２１】
2007306521.tif 000023
【図２２】
2007306521.tif 000024
【図２３】
2007306521.tif 000025
【図２４】
2007306521.tif 000026
【図２５】
2007306521.tif 000027
【図２６】
2007306521.tif 000028
【図２７】
2007306521.tif 000029
【図２８】
2007306521.tif 000030
【図２９】
2007306521.tif 000031
【図３０】
2007306521.tif 000032